(57)【要約】【課題】  安価な内線差込構造で設計変更が不要で製作費が安くつくこと。【解決手段】  ソケット６に対向するガイド板本体２６ａと、該ガイド板本体２６ａの両端から略直角に折れ曲がって互いに逆向きに延びる上下一対の端板２６ｂ，２６ｃとからなるガイド板２６が設けられ、上側端板２６ｂの両端に挿通孔３０ａ，３０ｂが貫設され、その一方の挿通孔３０ａをメイン基板３のビス孔に同心状に位置決めし該挿通孔３０ａ及びビス孔を通って筐体１の脚杆７のねじ孔にビス９をねじ込むと共に、その他方の挿通孔３０ｂを筐体１の脚杆７の上面に一体突設されてメイン基板３のピン孔に挿通した係止ピン１１に嵌合させることにより、上側端板２６ｂがメイン基板３に取り付けられ、ソケット６に差し込んだ内線５の端部がガイド板本体２６ａの裏面に沿って略Ｌ字状に折り曲げられて下側端板２６ｃの下をくぐるように形成されている。【選択図】        図３
2006302401.tif 000002
【特許請求の範囲】
【請求項１】
光ピックアップを備えた装置本体が筐体内に配置されると共に、該筐体内の装置本体に
隣接してメイン基板とＡＶ基板とが上下に所定間隔をおいて配置され、装置本体から延び
るフレキシブルフラットケーブルからなる内線の端部がメイン基板に設けたソケットに抜
き差し可能に差し込まれており、メイン基板によりソケット及び内線を介して装置本体を
制御することにより、ディスクを高速回転させると共に、その高速回転させたディスクに
記録されている情報を光ピックアップにより読み取るようにしたディスク装置において、
前記メイン基板にソケットに対向してガイド板を設けており、該ガイド板が、ソケットに
対向するガイド板本体と、該ガイド板本体の両端から略直角に折れ曲がって互いに逆向き
に延びる上下一対の端板とからなり、その上側端板の両端に挿通孔が貫設され、その一方
の挿通孔をメイン基板のビス孔に同心状に位置決めし該挿通孔及びビス孔を通って筐体の
脚杆のねじ孔にビスをねじ込むと共に、その他方の挿通孔を筐体の脚杆の上面に一体突設
されてメイン基板のピン孔に挿通した係止ピンに嵌合させることにより、上側端板がメイ
ン基板に取り付けられ、内線がガイド板本体の裏面に沿って略Ｌ字状に折り曲げられて下
側端板の下をくぐるように形成され、前記上側端板に、その係止ピン側端部から略直角に
折れ曲がる起立板が一体延設され、該起立板の上端が装置本体を覆う金属補強板の下面に
当接または接近され、前記下側端板の両端に係止片が一体突設され、該各係止片をＡＶ基
板に貫設した係止孔に係合させたことを特徴とするディスク装置。
【請求項２】
光ピックアップを備えた装置本体が筐体内に配置されると共に、該筐体内の装置本体に
隣接してメイン基板とＡＶ基板とが上下に所定間隔をおいて配置され、装置本体から延び
るフレキシブルフラットケーブルからなる内線の端部がメイン基板に設けたソケットに抜
き差し可能に差し込まれており、メイン基板によりソケット及び内線を介して装置本体を
制御することにより、ディスクを高速回転させると共に、その高速回転させたディスクに
記録されている情報を光ピックアップにより読み取るようにしたディスク装置において、
前記メイン基板にソケットに対向してガイド板を設けており、該ガイド板が、ソケットに
対向するガイド板本体と、該ガイド板本体の両端から略直角に折れ曲がって互いに逆向き
に延びる上下一対の端板とからなり、その上側端板の両端に挿通孔が貫設され、その一方
の挿通孔をメイン基板のビス孔に同心状に位置決めし該挿通孔及びビス孔を通って筐体の
脚杆のねじ孔にビスをねじ込むと共に、その他方の挿通孔を筐体の脚杆の上面に一体突設
されてメイン基板のピン孔に挿通した係止ピンに嵌合させることにより、上側端板がメイ
ン基板に取り付けられ、内線がガイド板本体の裏面に沿って略Ｌ字状に折り曲げられて下
側端板の下をくぐるように形成され、前記上側端板に、その係止ピン側端部から略直角に
折れ曲がる起立板が一体延設され、該起立板の上端が装置本体を覆う金属補強板の下面に
当接または接近され、前記下側端板に係止片が一体突設され、該係止片及びＡＶ基板を貫
通して底板部の脚杆のねじ孔にビスをねじ込むことにより、下側端板がＡＶ基板に固定さ
れていることを特徴とするディスク装置。
【請求項３】
光ピックアップを備えた装置本体が筐体内に配置されると共に、該筐体内の装置本体に
隣接してメイン基板とＡＶ基板とが上下に所定間隔をおいて配置され、装置本体から延び
るフレキシブルフラットケーブルからなる内線の端部がメイン基板に設けたソケットに抜
き差し可能に差し込まれており、メイン基板によりソケット及び内線を介して装置本体を
制御することにより、ディスクを高速回転させると共に、その高速回転させたディスクに
記録されている情報を光ピックアップにより読み取るようにしたディスク装置において、
前記メイン基板に、ソケットに対向してガイド板が取り付けられており、そのガイド板の
裏面に沿って内線の端部を略Ｌ字状に折り曲げることを特徴とするディスク装置。
【請求項４】
前記ガイド板が、ソケットに対向するガイド板本体と、該ガイド板本体の両端から略直
角に折れ曲がって互いに逆向きに延びる上下一対の端板とからなり、その上側端板の両端
に挿通孔が貫設され、その一方の挿通孔をメイン基板のビス孔に同心状に位置決めし該挿
通孔及びビス孔を通って筐体の脚杆のねじ孔にビスをねじ込むと共に、その他方の挿通孔
を筐体の脚杆の上面に一体突設されてメイン基板のピン孔に挿通した係止ピンに嵌合させ
ることにより、上側端板がメイン基板に取り付けられ、内線がガイド板本体の裏面に沿っ
て略Ｌ字状に折り曲げられて下側端板の下をくぐることを特徴とする請求項３に記載のデ
ィスク装置。
【請求項５】
前記上側端板に、その係止ピン側端部から略直角に折れ曲がる起立板が一体延設され、
該起立板の上端が装置本体を覆う金属補強板の下面に当接または接近されることを特徴と
する請求項４に記載のディスク装置。
【請求項６】
前記下側端板の両端に係止片が一体突設され、該各係止片をＡＶ基板に貫設した係止孔
に係合させたことを特徴とする請求項４または５に記載のディスク装置。
【請求項７】
前記下側端板に係止片が一体突設され、該係止片及びＡＶ基板を貫通して底板部の脚杆
のねじ孔にビスをねじ込むことにより、下側端板がＡＶ基板に固定されていることを特徴
とする請求項４または５に記載のディスク装置。
【発明の詳細な説明】
【技術分野】
【０００１】
本発明は、例えばＤＶＤプレーヤなどのディスクの再生や記録または消去を行うための
ディスク装置に関し、特に、安価な内線差込構造で設計変更が不要で製作費が安くつくよ
うにするものである。
【背景技術】
【０００２】
従来、ＤＶＤプレーヤの技術として図８〜図１０に示すものがある。これは、天板部１
ａ及び底板部１ｂと前面板部１ｃとにより矩形箱状の合成樹脂製筐体１が形成され、該筐
体１内の中央に装置本体２が配置されると共に、該筐体１内の装置本体２に隣接してメイ
ン基板３とＡＶ基板４とが上下に所定間隔をおいて配置され、装置本体２から延びるフレ
キシブルフラットケーブルからなる内線５の端部がメイン基板３の前端縁３ａの下面に設
けたソケット６の差込口６ａに抜き差し可能に差し込まれている。
【０００３】
前記メイン基板３は、矩形板状であって、底板部１ｂの底面に一体突設した複数の脚杆
７上に載置され、その前端縁３ａの一方角部に貫設したビス孔８を通して脚杆７のねじ孔
にビス９をねじ込むと共に、その前端縁３ａの他方角部に貫設したピン孔１０を脚杆７の
上面に一体突設した係止ピン１１に嵌合させ、その後端縁３ｂの他方角部に貫設したビス
孔１２を通して脚杆７のねじ孔にビス１３をねじ込むことにより、各脚杆７を介して底板
部１ｂに固定されている。また、前記ＡＶ基板４は、底板部１ｂの底面に一体突設した複
数の脚杆１５上にビス１６により止着されている。
【０００４】
前記装置本体２は、ディスクＤ載置用トレイ１８を前後進ａ，ｂ可能に支持するメイン
シャーシ１９と、該メインシャーシ１９に上下動可能に枢支されたドライブシャーシ（図
示せず）に搭載した光ピックアップ２０及びターンテーブル２１とを有し、該ターンテー
ブル２１に対向してメインシャーシ１９に架設した横桁２２に磁石付きディスクホルダ２
３が一定範囲内上下動可能に配置されている。なお、図１０中、２４はメイン基板３とＡ
Ｖ基板４とをつなぐフレキシブルフラットケーブルである。
【０００５】
装置本体２の動作を説明すると、図８に実線で示すプレイでは、ターンテーブル２１を
介してディスクＤを高速回転させ、該ディスクＤに記録されている情報を光ピックアップ
２０で読み取り、モニターに映像を再生する。
【０００６】
プレイモードでエジェクト信号が入力されると、ドライブシャーシを下動させることに
より、ターンテーブル２１からトレイ１８にディスクＤを受け渡した後、該トレイ１８を
前進ａさせ（図８仮想線参照）、そのトレイ１８からディスクＤを取り出し新たなディス
クＤをトレイ１８上に載置する。
【０００７】
続いて、ローディング信号が入力されると、トレイ１８を後進ｂさせて筐体１内に収納
した後、ドライブシャーシを上動させることにより、トレイ１８上のディスクＤをターン
テーブル２１とディスクホルダ２３とで挟持する（図８実線参照）。
【０００８】
安全規格では、内線５を前方ａに設定した力（例えば５Ｎ）で引っ張ったときに、内線
５の端部がソケット６から抜けないようにすることが要求されており、図９に仮想線で示
すように、内線５の端部がソケット６から抜けると、一次側と二次側の距離が保て無い場
合があり、安全規格を満足させることができない。
【０００９】
上記難点を解消する技術の一つとして特許文献１に記載したものがある。これは、内線
５の端部に雄形コネクタを連結すると共に、メイン基板３に雌形コネクタを連結し、その
雄雌両コネクタを互いに嵌合させることにより、内線５をメイン基板３に接続するもので
ある。
【特許文献１】特開平７−１１１０４９号公報
【発明の開示】
【発明が解決しようとする課題】
【００１０】
上記従来の構成では、雄雌両コネクタが高価であると共に、その雄雌両コネクタを用い
るために設計変更が必要となり、製作費が高くつく。
【００１１】
本発明は、上記従来の欠点に鑑み、安価な内線差込構造で設計変更が不要で製作費が安
くつくディスク装置を提供することを目的としている。
【課題を解決するための手段】
【００１２】
上記目的を達成するため、請求項１に記載の発明は、光ピックアップを備えた装置本体
が筐体内に配置されると共に、該筐体内の装置本体に隣接してメイン基板とＡＶ基板とが
上下に所定間隔をおいて配置され、装置本体から延びるフレキシブルフラットケーブルか
らなる内線の端部がメイン基板に設けたソケットに抜き差し可能に差し込まれており、メ
イン基板によりソケット及び内線を介して装置本体を制御することにより、ディスクを高
速回転させると共に、その高速回転させたディスクに記録されている情報を光ピックアッ
プにより読み取るようにしたディスク装置において、前記メイン基板にソケットに対向し
てガイド板を設けており、該ガイド板が、ソケットに対向するガイド板本体と、該ガイド
板本体の両端から略直角に折れ曲がって互いに逆向きに延びる上下一対の端板とからなり
、その上側端板の両端に挿通孔が貫設され、その一方の挿通孔をメイン基板のビス孔に同
心状に位置決めし該挿通孔及びビス孔を通って筐体の脚杆のねじ孔にビスをねじ込むと共
に、その他方の挿通孔を筐体の脚杆の上面に一体突設されてメイン基板のピン孔に挿通し
た係止ピンに嵌合させることにより、上側端板がメイン基板に取り付けられ、内線がガイ
ド板本体の裏面に沿って略Ｌ字状に折り曲げられて下側端板の下をくぐるように形成され
、前記上側端板に、その係止ピン側端部から略直角に折れ曲がる起立板が一体延設され、
該起立板の上端が装置本体を覆う金属補強板の下面に当接または接近され、前記下側端板
の両端に係止片が一体突設され、該各係止片をＡＶ基板に貫設した係止孔に係合させたこ
とを特徴としている。
【００１３】
請求項２に記載の発明は、光ピックアップを備えた装置本体が筐体内に配置されると共
に、該筐体内の装置本体に隣接してメイン基板とＡＶ基板とが上下に所定間隔をおいて配
置され、装置本体から延びるフレキシブルフラットケーブルからなる内線の端部がメイン
基板に設けたソケットに抜き差し可能に差し込まれており、メイン基板によりソケット及
び内線を介して装置本体を制御することにより、ディスクを高速回転させると共に、その
高速回転させたディスクに記録されている情報を光ピックアップにより読み取るようにし
たディスク装置において、前記メイン基板にソケットに対向してガイド板を設けており、
該ガイド板が、ソケットに対向するガイド板本体と、該ガイド板本体の両端から略直角に
折れ曲がって互いに逆向きに延びる上下一対の端板とからなり、その上側端板の両端に挿
通孔が貫設され、その一方の挿通孔をメイン基板のビス孔に同心状に位置決めし該挿通孔
及びビス孔を通って筐体の脚杆のねじ孔にビスをねじ込むと共に、その他方の挿通孔を筐
体の脚杆の上面に一体突設されてメイン基板のピン孔に挿通した係止ピンに嵌合させるこ
とにより、上側端板がメイン基板に取り付けられ、内線がガイド板本体の裏面に沿って略
Ｌ字状に折り曲げられて下側端板の下をくぐるように形成され、前記上側端板に、その係
止ピン側端部から略直角に折れ曲がる起立板が一体延設され、該起立板の上端が装置本体
を覆う金属補強板の下面に当接または接近され、前記下側端板に係止片が一体突設され、
該係止片及びＡＶ基板を貫通して底板部の脚杆のねじ孔にビスをねじ込むことにより、下
側端板がＡＶ基板に固定されていることを特徴としている。
【００１４】
請求項３に記載の発明は、光ピックアップを備えた装置本体が筐体内に配置されると共
に、該筐体内の装置本体に隣接してメイン基板とＡＶ基板とが上下に所定間隔をおいて配
置され、装置本体から延びるフレキシブルフラットケーブルからなる内線の端部がメイン
基板に設けたソケットに抜き差し可能に差し込まれており、メイン基板によりソケット及
び内線を介して装置本体を制御することにより、ディスクを高速回転させると共に、その
高速回転させたディスクに記録されている情報を光ピックアップにより読み取るようにし
たディスク装置において、前記メイン基板に、ソケットに対向してガイド板が取り付けら
れており、そのガイド板の裏面に沿って内線の端部を略Ｌ字状に折り曲げることを特徴と
している。
【００１５】
請求項４に記載の発明は、請求項３に記載の発明において、前記ガイド板が、ソケット
に対向するガイド板本体と、該ガイド板本体の両端から略直角に折れ曲がって互いに逆向
きに延びる上下一対の端板とからなり、その上側端板の両端に挿通孔が貫設され、その一
方の挿通孔をメイン基板のビス孔に同心状に位置決めし該挿通孔及びビス孔を通って筐体
の脚杆のねじ孔にビスをねじ込むと共に、その他方の挿通孔を筐体の脚杆の上面に一体突
設されてメイン基板のピン孔に挿通した係止ピンに嵌合させることにより、上側端板がメ
イン基板に取り付けられ、内線がガイド板本体の裏面に沿って略Ｌ字状に折り曲げられて
下側端板の下をくぐることを特徴としている。
【００１６】
請求項５に記載の発明は、請求項４に記載の発明において、前記上側端板に、その係止
ピン側端部から略直角に折れ曲がる起立板が一体延設され、該起立板の上端が装置本体を
覆う金属補強板の下面に当接または接近されることを特徴としている。
【００１７】
請求項６に記載の発明は、請求項４または５に記載の発明において、前記下側端板の両
端に係止片が一体突設され、該各係止片をＡＶ基板に貫設した係止孔に係合させたことを
特徴としている。
【００１８】
請求項７に記載の発明は、請求項４または５に記載の発明において、前記下側端板に係
止片が一体突設され、該係止片及びＡＶ基板を貫通して底板部の脚杆のねじ孔にビスをね
じ込むことにより、下側端板がＡＶ基板に固定されていることを特徴としている。
【発明の効果】
【００１９】
請求項１に記載の発明は第１、第２の実施の形態（図１〜図６参照）に対応するもので
あって、これによれば、ソケットに差し込んだ内線の端部をガイド板の裏面に沿って略Ｌ
字状に折り曲げており、内線を抜き差し方向に沿って例えば５Ｎの力で強く引っ張っても
、その引張力が抜き差し方向とは略直角の方向にかかるから、内線の端部がソケットから
抜けることがなく、安全規格を満足させることができる。
【００２０】
前記ガイド板がガイド板本体と上下一対の端板とからなり、従来の雄雌両コネクタに比
べて安価であり、また、メイン基板を脚杆に固定するためのビス及び係止ピンを利用して
ガイド板の上側端板をメイン基板に取り付けるようになっており、そのガイド板を既存構
造に付加するだけでよいため、設計変更が不要で製作費が安くつく。
【００２１】
前記上側端板から略直角に折れ曲がる起立板の上端が金属補強板により押さえられてい
るから、内線を強く引っ張っても、上側端板が浮き上がることがなく、その内線の端部を
ソケットから一層抜けないようにすることができ、また、前記金属補強板が装置本体を補
強するためのものであるから、部品点数の増加につながらず、経済的である。
【００２２】
前記下側端板に一体突設した各係止片をＡＶ基板の係止孔に係合させているから、内線
を強く引っ張っても、下側端板が浮き上がることがなく、その内線の端部をソケットから
確実に抜けないようにすることができ、また、各係止片がガイド板に一体形成されている
から、部品点数が増加せず、経済的である。
【００２３】
請求項２に記載の発明は第１、第３の実施の形態（図７参照）に対応するものであって
、これによれば、請求項１に記載の発明とほぼ同様の効果を得ることができ、特に、下側
端板に一体突設した係止片をビスによりＡＶ基板に固定しているので、内線を強く引っ張
っても、下側端板が浮き上がることがなく、その内線の端部をソケットから確実に抜けな
いようにすることができ、また、前記ビスがＡＶ基板を筐体の脚杆に止着するためのもの
であるから、部品点数の増加につながらず、経済的である。
【００２４】
請求項３に記載の発明は、基本形態に対応するものであって、ソケットに差し込んだ内
線の端部をガイド板の裏面に沿って略Ｌ字状に折り曲げており、内線を抜き差し方向に沿
って例えば５Ｎの力で強く引っ張っても、その引張力が抜き差し方向とは略直角の方向に
かかるから、内線の端部がソケットから抜けることがなく、安全規格を満足させることが
できる。
【００２５】
請求項４に記載の発明によれば、ガイド板がガイド板本体と上下一対の端板とからなり
、従来の雄雌両コネクタに比べて安価であり、また、メイン基板を脚杆に固定するための
ビス及び係止ピンを利用してガイド板の上側端板をメイン基板に取り付けるようになって
おり、そのガイド板を既存構造に付加するだけでよいため、設計変更が不要で製作費が安
くつく。
【００２６】
請求項５に記載の発明によれば、上側端板から略直角に折れ曲がる起立板の上端が金属
補強板により押さえられているから、内線を強く引っ張っても、上側端板が浮き上がるこ
とがなく、その内線の端部をソケットから一層抜けないようにすることができ、また、前
記金属補強板が装置本体を補強するためのものであるから、部品点数の増加につながらず
、経済的である。
【００２７】
請求項６に記載の発明によれば、下側端板に一体突設した各係止片をＡＶ基板の係止孔
に係合させているから、内線を強く引っ張っても、下側端板が浮き上がることがなく、そ
の内線の端部をソケットから確実に抜けないようにすることができ、また、各係止片がガ
イド板に一体形成されているから、部品点数が増加せず、経済的である。
【００２８】
請求項７に記載の発明によれば、下側端板に一体突設した係止片をビスによりＡＶ基板
に固定しているので、内線を強く引っ張っても、下側端板が浮き上がることがなく、その
内線の端部をソケットから確実に抜けないようにすることができ、また、前記ビスがＡＶ
基板を筐体の脚杆に止着するためのものであるから、部品点数の増加につながらず、経済
的である。
【発明を実施するための最良の形態】
【００２９】
図１〜図５は本発明の第１の実施の形態であるＤＶＤプレーヤ（ディスク装置）を示す
ものであって、メイン基板３に、ソケット６に対向してガイド板２６が取り付けられてい
る。また、筐体１の天板部１ａに荷物を載せるなどして過大な負荷がかかったときに該天
板部１ａが下向きに弯曲して装置本体２に接触するのを防止するための金属補強板２７が
横桁２２に被せられ、該金属補強板２７の両端が底板部１ｂに一体突設した脚杆２８にビ
ス２９により止着されている。上記以外の構成は図８〜図１０に示す構成とほぼ同じであ
るから、同一部分に同一符号を付してその説明を省略する。
【００３０】
前記ガイド板２６は、ソケット６に対向するガイド板本体２６ａと、該ガイド板本体２
６ａの両端から略直角に折れ曲がって互いに前後進ａ，ｂ方向に沿って逆向きに延びる上
下一対の端板２６ｂ，２６ｃとからなり、その上側端板２６ｂの両端に挿通孔３０ａ，３
０ｂが貫設され、その一方の挿通孔３０ａをメイン基板３のビス孔８に同心状に位置決め
し該挿通孔３０ａ及びビス孔８を通って脚杆７のねじ孔にビス９をねじ込むと共に、その
他方の挿通孔３０ｂを脚杆７の上面に一体突設されてメイン基板３のピン孔１０に挿通し
た係止ピン１１に嵌合させることにより、上側端板２６ｂがメイン基板３に取り付けられ
、内線５がガイド板本体２６ａの裏面に沿って略Ｌ字状に折り曲げられて下側端板２６ｃ
の下をくぐるように形成されている。
【００３１】
上記構成によれば、図５に示すように、ソケット６に差し込んだ内線５の端部をガイド
板本体２６ａの裏面に沿って略Ｌ字状に折り曲げており、内線５を抜き差し方向ａ，ｂに
沿って前方ａに例えば５Ｎの力で強く引っ張っても、その引張力Ｆが抜き差し方向ａ，ｂ
とは略直角の方向にかかるから、内線５の端部がソケット６から抜けることがなく、安全
規格を満足させることができる。
【００３２】
前記ガイド板２６がガイド板本体２６ａと上下一対の端板２６ｂ，２６ｃとからなり、
従来の雄雌両コネクタに比べて安価であり、また、メイン基板３を脚杆７に固定するため
のビス９及び係止ピン１１を利用してガイド板２６の上側端板２６ｂをメイン基板３に取
り付けるようになっており、そのガイド板２６を既存構造に付加するだけでよいため、設
計変更が不要で製作費が安くつく。
【００３３】
図２及び図３に示すように、上側端板２６ｂに、その係止ピン１１側端部から略直角に
折れ曲がる起立板２６ｄが一体延設され、該起立板２６ｄの上端が金属補強板２７の下面
に当接または接近されており、これによれば、起立板２６ｄの上端が金属補強板２７によ
り押さえられているから、内線５を強く引っ張っても、上側端板２６ｂが浮き上がること
がなく、その内線５の端部をソケット６から一層抜けないようにすることができ、また、
金属補強板２７が装置本体２を補強するためのものであるから、部品点数の増加につなが
らず、経済的である。
【００３４】
図６は本発明の第２の実施の形態であるディスク装置の要部を示すものであって、下側
端板２６ｃの両端に略Ｌ字形係止片２６ｅが前方ａに向かって一体突設され、該各係止片
２６ｅをＡＶ基板４に貫設した係止孔３２に係合させており、これによれば、内線５を強
く引っ張っても、下側端板２６ｃが浮き上がることがなく、その内線５の端部をソケット
６から確実に抜けないようにすることができ、また、各係止片２６ｅがガイド板２６に一
体形成されているから、部品点数が増加せず、経済的である。上記以外の構成は第１の実
施の形態とほぼ同じであるから、同一部分に同一符号を付してその説明を省略する。
【００３５】
図７は本発明の第３の実施の形態であるディスク装置の要部を示すものであって、下側
端板２６ｃに略Ｌ字形係止片２６ｆが前方ａに向かって一体突設され、該係止片２６ｆ及
びＡＶ基板４を貫通して底板部１ｂの脚杆１５のねじ孔にビス３３をねじ込むことにより
、下側端板２６ｃがＡＶ基板４に固定されており、これによれば、内線５を強く引っ張っ
ても、下側端板２６ｃが浮き上がることがなく、その内線５の端部をソケット６から確実
に抜けないようにすることができ、また、各係止片２６ｆがガイド板２６に一体形成され
ているから、部品点数が増加せず、経済的である。
【産業上の利用可能性】
【００３６】
上記の実施の形態では、再生専用のＤＶＤプレーヤを例にあげて説明したが、これに限
定されるわけではなく、例えば再生や録画または消去を行うＤＶＤレコーダなどの各種の
ディスク装置にも適用される。
【図面の簡単な説明】
【００３７】
【図１】本発明の第１の実施の形態であるＤＶＤプレーヤの水平断面図である。
【図２】同拡大縦断面図である。
【図３】同要部の斜視図である。
【図４】同要部の分解斜視図である。
【図５】同要部の拡大縦断面図である。
【図６】（ａ）は本発明の第２の実施の形態を示す要部の斜視図、（ｂ）は同要部の拡大縦断面図である。
【図７】（ａ）は本発明の第３の実施の形態を示す要部の斜視図、（ｂ）は同要部の拡大縦断面図である。
【図８】従来例を示す水平断面図である。
【図９】同拡大縦断面図である。
【図１０】同要部の斜視図である。
【符号の説明】
【００３８】
１              筐体
２              装置本体
３              メイン基板
４              ＡＶ基板
５              内線
６              ソケット
７              脚杆
８              ビス孔
９              ビス
１０            ピン孔
１１            係止ピン
１５            脚杆
２０            光ピックアップ
２６            ガイド板
２６ａ          ガイド板のガイド板本体
２６ｂ          ガイド板の上側端板
２６ｃ          ガイド板の下側端板
２６ｄ          ガイド板の起立板
２６ｅ          ガイド板の係止片
２６ｆ          ガイド板の係止片
２７            金属補強板
３０ａ．３０ｂ  挿通孔
３２            係止孔
３３            ビス
【図１】
2006302401.tif 000003
【図２】
2006302401.tif 000004
【図３】
2006302401.tif 000005
【図４】
2006302401.tif 000006
【図５】
2006302401.tif 000007
【図６】
2006302401.tif 000008
【図７】
2006302401.tif 000009
【図８】
2006302401.tif 000010
【図９】
2006302401.tif 000011
【図１０】
2006302401.tif 000012